(57)【要約】【課題】本発明は、ユーザが簡易な操作で取扱説明書情報をユーザ端末を介して取得することができると共に機器のサポートサービスを提供するコンタクトセンターにおける業務を効率化することができる取扱説明書情報提供システム及び取扱説明書情報提供方法を提供することを課題とする。【解決手段】本発明は、携帯端末２と、携帯端末２からのアクセスを管理する管理サーバ４と、機器の取扱説明書情報を管理する取説サーバ５とを備えているシステム１であって、携帯端末２に設けられ、機器に付され、その機器の取扱説明書情報を格納した取説サーバ５のアドレス情報を含むＱＲコードを読み取る読取手段と、取説サーバ５のアドレス情報を記憶した記憶手段から、前記ＱＲコードに含まれたアドレス情報を管理サーバ４を介して抽出する抽出手段と、抽出したアドレス情報を携帯端末２に送信する送信手段とを備えている。【選択図】図１
2008083966.tif 000002
【特許請求の範囲】
【請求項１】
ネットワークを介して接続された、携帯端末と、前記携帯端末からのアクセスを管理する管理サーバと、前記携帯端末に提供する機器の取扱説明書情報を管理する取説サーバとを備えている取扱説明書情報提供システムであって、
前記携帯端末に設けられ、機器に付されており、その機器の取扱説明書情報を格納した前記取説サーバのアドレス情報を含む識別コードを読み取る読取手段と、
前記取説サーバのアドレス情報を記憶した記憶手段から、前記読取手段により読み取られた識別コードに含まれたアドレス情報を前記管理サーバを介して抽出する抽出手段と、
抽出した前記アドレス情報を前記携帯端末に送信する送信手段とを備えることを特徴とする取扱説明書情報提供システム。
【請求項２】
前記携帯端末と前記管理サーバと前記取説サーバと前記ネットワークを介して接続され、機器の取り扱いに関する質問を受け付けるコンタクトセンター側の端末を更に備え、
前記携帯端末は、
前記コンタクトセンター側の端末を識別し且つ前記端末にアクセスするための接続情報と、
前記識別コードに含まれている機器の製品番号情報と、
前記携帯端末が直近にアクセスしていた取説サーバのアドレス情報とを前記コンタクトセンター側の端末に送信することを特徴とする請求項１に記載の取扱説明書情報提供システム。
【請求項３】
ネットワークを介して接続された、携帯端末と、前記携帯端末からのアクセスを管理する管理サーバと、前記携帯端末に提供する機器の取扱説明書情報を管理する取説サーバとにより実行される取扱説明書情報提供方法であって、
機器に付されており、その機器の取扱説明書情報を格納した前記取説サーバのアドレス情報を含む識別コードを前記携帯端末にて読み取るステップと、
前記取説サーバのアドレス情報を記憶した記憶手段から、前記読取手段により読み取られた識別コードに含まれたアドレス情報を前記管理サーバを介して抽出するステップと、
抽出した前記アドレス情報を前記携帯端末に送信するステップとを含むことを特徴とする取扱説明書情報提供方法。
【発明の詳細な説明】
【技術分野】
【０００１】
本発明は、各種機器の取扱説明書をデータとし、ユーザ端末に提供する技術に関する。
【背景技術】
【０００２】
ユーザが家電製品や各種機器を購入すると、その機器の取り扱いを説明した取扱説明書が大抵の場合は付属してくる。ユーザはこの取扱説明書を読むことにより購入した機器の操作や設定を行う。
【０００３】
しかしながら、このような取扱説明書の配布方法は、機器毎に取扱説明書が付属するため、機器類が増えるにしたがって取扱説明書も増えてしまうため、取扱説明書自体の管理（整理）が面倒なものになってしまう。例えば、従来の配布方法では、いざ取扱説明書を参照しようとしたときに、どの取扱説明書がどの機器のものかが分かり難かったり、取扱説明書を保存しておく保存スペースが余分にとられてしまう等の問題があった。
【０００４】
そこで、利用者が取扱説明書を必要な時のみ使用でき、且つ取扱説明書を自身で管理する必要が無くなるように、利用者の端末から取扱説明書データを参照することができる装置が提案されている（特許文献１参照）。
【０００５】
特許文献１によれば、機器の利用者は、自身が所持する端末から必要なときに取扱説明書を参照することができる。
【特許文献１】特開２００３−２８１２９０号公報
【発明の開示】
【発明が解決しようとする課題】
【０００６】
ところで、特許文献１の発明では、取扱説明書の提供サービスを受けるために、利用者は、購入した機器の製造メーカー，型番，機器名，自身の氏名，住所，職業，電子メールアドレス等の利用者情報を取扱説明書提供サービス装置に提供し、所謂ユーザ登録を行う。
【０００７】
ユーザ登録が完了すると、利用者には識別番号が提供される。識別番号には、上述した利用者情報が紐付けられており、利用者は、取扱説明書の提供サービスを受ける際に、この識別番号を入力する。
【０００８】
そのため、利用者は、識別番号を覚えておくか、どこかに書き留めておくか等して、取扱説明書の提供サービスを受ける際にすぐに入力できるようにしておかなければならない。
【０００９】
しかしながら、近年では、インターネットを介してアクセスする各種のサイトを利用するためのユーザ登録や、各種ソフトウェアのサポートを受けるためのユーザ登録等、様々なユーザ登録が求められ、それに応じて発行されるユーザＩＤ等の識別番号は一つに留まらないのが現状である。そのため、利用者は、取扱説明書の提供サービスを受けるために適切な識別番号を忘れてしまったり、他の識別番号と混同してしまう等の虞があった。
【００１０】
さらに、従来から、利用者からの機器の取り扱いについての質問やトラブル等の問い合わせに対応するサポートセンターがある。サポートセンターにおけるサポートサービスの提供方法として、電子メールによる回答や、オペレータとの電話による応答がある。オペレータが電話にて利用者の問い合わせに応答するためには、機器の種類や製品番号、さら
にはどのような取り扱い操作に関することなのかをオペレータが把握する必要がある。大抵の場合、オペレータは利用者からそれらの内容を聞き出した上で問い合わせ内容に応じた回答をする。
【００１１】
しかしながら、機器の種類、製品番号、問い合わせの内容をオペレータに伝えるには、その分の時間を要する。さらに、利用者から正確な情報（特に機器の種類や製品番号）が伝達されているか否かはオペレータ側では確認することができず、間違った情報が伝達されたり、どのような事柄で問い合わせているのかを明確でない場合は、問い合わせへの対応に時間や手間がかかってしまうことがあった。
【００１２】
そこで、本発明は、ユーザが簡易な操作で取扱説明書情報をユーザ端末を介して取得することができる取扱説明書情報提供システム及び取扱説明書情報提供方法を提供することを課題とする。
【００１３】
さらに、本発明は、利用者からの問い合わせに応じて、機器の取り扱い等のサポートサービスを提供するコンタクトセンターにおける業務を効率化することができる取扱説明書情報提供システム及び取扱説明書情報提供方法を提供することを課題とする。
【課題を解決するための手段】
【００１４】
本発明は上記事項に鑑みてなされたものであり、本発明は、ネットワークを介して接続された、携帯端末と、携帯端末からのアクセスを管理する管理サーバと、携帯端末に提供する機器の取扱説明書情報を管理する取説サーバとを備えている取扱説明書情報提供システムであって、携帯端末に設けられ、機器に付されており、その機器の取扱説明書情報を格納した取説サーバのアドレス情報を含む識別コードを読み取る読取手段と、取説サーバのアドレス情報を記憶した記憶手段から、読取手段により読み取られた識別コードに含まれたアドレス情報を管理サーバを介して抽出する抽出手段と、抽出したアドレス情報を携帯端末に送信する送信手段とを備えていることを特徴とする。
【００１５】
本発明における識別コードとは、ＱＲコード（Quick  Response  code）に代表される
二次コードやバーコード等とすることができる。識別コードには、機器に関する各種の情報が記録されている。例えば、機器の製品番号（型番）、シリアル番号、製造年月日、製造工場名、メーカー名、取説サーバに格納されている取扱説明書情報のアドレス情報等を含んでいる。尚、これらの情報は、各々が関連づけられていると好ましい。尚、取説サーバは、機器のメーカーが運営しているサーバとしてもよいし、メーカーとは別の外部サーバとしてもよい。
【００１６】
このように、本発明によれば、携帯端末に設けられた読取手段により識別コードを読み取るという簡易な操作方法で、機器の取り扱い説明の情報を携帯端末により得ることができる。
【００１７】
さらに、本発明によれば、携帯端末を取扱説明書として利用することができるため、これまで冊子で提供されていた取扱説明書を作成する必要性が低くなる。これにより、資源の節約に繋がる。
【００１８】
また、本発明は、携帯端末と管理サーバと取説サーバとネットワークを介して接続され、機器の取り扱いに関する質問を受け付けるコンタクトセンター側の端末を更に備えた構成とすることもできる。このとき、携帯端末は、コンタクトセンター側の端末を識別し且つ端末にアクセスするための接続情報と、識別コードに含まれている機器の製品番号情報と、携帯端末が直近にアクセスしていた取説サーバのアドレス情報とをコンタクトセンター側の端末に送信すると好ましい。
【００１９】
接続情報には、コールセンター側の電話番号，コンタクトセンター側の端末のインターネットプロトコルアドレス（以下、ＩＰアドレスと称す），電子メールアドレス等の端末を特定することができる情報が含まれている。この接続情報は、携帯端末が取説サーバの取扱説明書情報が含まれていると好ましい。例えば、取扱説明書情報が表示される画面のメニュー項目に“コンタクトセンターに電話する”というようなメニュー項目を設け、このメニュー項目にコンタクトセンターの電話番号やＩＰアドレスを紐づけておき、そのメニュー項目を選択すると同時にコンタクトセンターに電話がかかるようにする。
【００２０】
これにより、ユーザは携帯端末からコンタクトセンターに容易な操作でアクセスすることができる。
【００２１】
また、携帯端末からは、読取手段にて読み込まれた識別コードに含まれている機器の製品番号と、携帯端末が直前までアクセスしていた取扱説明書情報が表示されていた画面のＵＲＬとが、コンタクトセンター側の端末に送信される。
【００２２】
つまり、コンタクトセンター側の端末に、携帯端末からコンタクトセンターに連絡してきたユーザが、どの機器のどの機種の、どのような事柄について問い合わせしてきたのかといった情報を表示させることができる。このため、コンタクトセンターのオペレータは、ユーザの問い合わせ内容の条件を迅速に絞り込むことができ、オペレーティング作業の効率化を図ることができる。
【００２３】
また、本発明によれば、ユーザは、取扱説明書や保証書等で製品番号や機種名を確認することなく、コンタクトセンターに問い合わせができるようになる。
【００２４】
さらに、本発明によれば、コンタクトセンター側の端末では、電話やＥメールにてユーザから寄せられた質問やトラブルに関する情報をデータベース化し、それらの情報を管理サーバに提供することができる。
【００２５】
これにより、管理サーバは、携帯端末にこれらの情報をＦＡＱ（Frequently  Asked  Question）情報として提供することができ、ユーザビリティを高めることができる。
【００２６】
また、本発明は、ネットワークを介して接続された、携帯端末と、前記携帯端末からのアクセスを管理する管理サーバと、携帯端末に提供する機器の取扱説明書情報を管理する取説サーバとにより実行される取扱説明書情報提供方法であって、機器に付されており、その機器の取扱説明書情報を格納した取説サーバのアドレス情報を含む識別コードを携帯端末にて読み取るステップと、取説サーバのアドレス情報を記憶した記憶手段から、前記読取手段により読み取られた識別コードに含まれたアドレス情報を管理サーバを介して抽出するステップと、抽出したアドレス情報を携帯端末に送信するステップとを含むことを特徴とする。
【発明の効果】
【００２７】
本発明によれば、ユーザが簡易な操作で取扱説明書情報をユーザ端末を介して取得することができる取扱説明書情報提供システム及び取扱説明書情報提供方法を提供することが可能となる。
【００２８】
さらに、本発明によれば、利用者からの問い合わせに応じて、機器の取り扱い等のサポートサービスを提供するコンタクトセンターにおける業務を効率化することができる取扱説明書情報提供システム及び取扱説明書情報提供方法を提供することが可能となる。
【発明を実施するための最良の形態】
【００２９】
以下、本実施形態の取扱説明書情報提供システム及び取扱説明書情報提供方法について詳説する。本システムは、電化製品（テレビ、ビデオ・ハードディスク・ＤＶＤレコーダ、パーソナルコンピュータ、携帯電話機等の家電製品全般を含む）の取り扱い説明が掲載されているサイトのＵＲＬ（Uniform  Resource  Locator）等の情報が記録されているＱＲコード（Quick  Response  code）（識別コード）を、ユーザ端末により読み取り、ユ
ーザがユーザ端末にて適宜の取り扱い説明の掲載されたサイト（画面）を閲覧することを可能とするシステムである。
【００３０】
図１に本実施形態の取扱説明書情報提供システムの概念図を示す。本システム１では、ＱＲコードの読み取りが可能なユーザ端末（本実施形態では携帯電話機として説明する）２と、携帯電話機２からのアクセス及びユーザ管理を行う管理サーバ４と、ＱＲコードに記録された取扱説明書情報を管理する取説サーバ５とがインターネット３を介して接続されている。尚、本実施形態では、取説サーバ５は、機器を製造している製造メーカーが運営しているサーバであるとするが、取説サーバ５と管理サーバ４とが同じサーバであってもよい。
【００３１】
ＱＲコードには、機器の、メーカー名、製品番号、シリアル番号、取扱説明書情報が掲載されたサイトのＵＲＬ（以下、取説サイトＵＲＬと称す）が記録されている。尚、この他に、ＱＲコードに、機器の製造工場名、出荷年月日の情報を記録してもよい。
【００３２】
携帯電話機２は、上述したように、ＱＲコードを読み取る機能（読取手段）を有し、さらに、インターネット３に接続機能を有しているものとする。ＱＲコードを読み取る機能は、携帯電話機にインストールされているアプリケーションソフトにより実現するものとする。
【００３３】
管理サーバ４は、携帯電話機２のユーザの管理や、ＱＲコードに記録されている情報に基づき適切な取説サーバにアクセスさせる役割を果たす。一方、取説サーバ５は、ＱＲコードに記録されている各種情報を格納したデータベースを有している。ここで、管理サーバ４及び取説サーバ５のハードウェア構成について説明する。
まず、管理サーバ４は、図２に示すように、一般的なパーソナルコンピュータであり、管理サーバ４の全体的な処理制御を行うＣＰＵ（Central  Processing  Unit）（抽出手
段）６と、ＣＰＵ６の処理に伴う情報を一時的に記録するＲＡＭ（Random  Access  Memory）７と、基本的な処理を行う基本プログラムや各種プログラムを格納するＲＯＭ（Read
Only  Memory）８と、インターネット３に接続し携帯電話機２と情報の送受信を行う送受信部（送信手段、アクセス手段）９と、各種データベースやデータが格納されたハードディスク（記憶手段）１０とを有している。
【００３４】
ハードディスク１０内には、本システム１を利用するためにユーザが登録したユーザ情報を格納するユーザ情報データベース１１と、ユーザからの質問事項を蓄積したＦＡＱデータベース１２とが構築されている。
【００３５】
また、ユーザ情報データベース１１には、ユーザ登録に伴ってユーザから提供された、ユーザの、氏名，メールアドレス（パソコン用のメールアドレスと携帯電話機用のメールアドレスとを含む），電話番号，住所、電化製品の製品番号，シリアル番号，メーカー名等が格納されている。尚、本実施形態では、ユーザは、これらのユーザ情報をサーバ４に登録することで、本システム１を利用することができるものとし、以下の説明では、既にユーザ登録が完了しているものとして説明する。
【００３６】
尚、電化製品の製品番号，シリアル番号，メーカー名等のＱＲコードに含まれている情
報については、ＱＲコードを読み取ることにより管理サーバ４に送信することができるため入力しなくてもよい。このように、ＱＲコードに含まれた情報を利用して、ユーザ登録を行うことができるため、ユーザ登録の多くの方法として普及している、商品に添付されたユーザ登録用のカードに、ユーザが諸事項を記入してメーカーに送付するという煩雑な作業を省略することができる。
【００３７】
さらに、管理サーバ４は、図１に示すように、ユーザからの電話やメールにおける問い合わせを受け付けるコンタクトセンターの端末１３とインターネット３を介して接続されている。コンタクトセンターでは、ユーザから受け付けた問い合わせの内容をデータ化し、そのデータをインターネット３を介して管理サーバ４に提供する。
【００３８】
そして、管理サーバ４では、コンタクトセンターの端末１３から送信された、ユーザからの問い合わせデータ及びそれに対する回答データを問い合わせ件数順序に表示順位を変えるようにしてＦＡＱデータベース１２内に格納しデータベースを構築する。尚、ＦＡＱデータベース１２内に格納された情報は、ユーザの要求があれば閲覧することができる。
【００３９】
このように、ＦＡＱデータベース１２内のデータを問い合わせ件数順に並べ替えることにより、ユーザからの問い合わせデータ及びそれに対する回答データをユーザに提供する際のユーザビリティを高めることができる。
以上が、サーバ４のハードウェア構成である。
【００４０】
次に、取説サーバ５のハードウェア構成を説明する。取説サーバ５は、管理サーバ４から、要求のあったＱＲコード情報をデータベースから抽出し、管理サーバ４に送信する。つまり、ＱＲコード情報は、管理サーバ４を介して取説サーバ５から携帯電話機２に提供される。
【００４１】
取説サーバ５も、管理サーバ４と同じく一般的なパーソナルコンピュータであり、主要な構成は管理サーバ４と同じであり、ＣＰＵ，ＲＯＭ，ＲＡＭ，ＨＤＤ，送受信部を備えている。管理サーバ４との違いは、ＨＤＤ中のデータベースが、ＱＲコードに記録されている諸情報（機器の、メーカー名、製品番号、シリアル番号、取扱説明が掲載されたサイトのＵＲＬ）を格納したＱＲコード情報データベース１４であることである。
【００４２】
図３にＱＲコード情報データベース１４内のデータテーブルを示す。データテーブルに格納されている、機器の、メーカー名、製品番号、シリアル番号、取扱説明が掲載されたサイトのＵＲＬ（例えば、機器製造メーカーの自社ホームページ等）の各種情報は、それぞれに対応づけられている。つまり、例えば、ＱＲコードに製品番号のみが記録されていた場合、ＱＲコード情報データベース１４内のデータテーブルから製品番号に対応する取説サイトＵＲＬの情報を引き出す。
以上が、取説サーバ５のハードウェア構成である。
【００４３】
次に、本システム１による取扱説明書情報提供方法について説明する。
まず、ユーザは、電化製品に付されたＱＲコードを携帯電話機２にて読み取り、管理サーバ４に送信する。尚、ＱＲコードは、例えば、電化製品がテレビ，ビデオデッキ，エアコン等のリモコンを有するものであればリモコンに貼付し、リモコンが無いものについては電化製品本体に貼付するようにする。
【００４４】
管理サーバ４はＱＲコード情報を受信すると共に取説サーバ５に接続する。すると、取説サーバ５のＣＰＵ（抽出手段）は、ＱＲコード情報に含まれている、製品番号，シリアル番号，取説サイトＵＲＬを、ＱＲコード情報データベース１４内に格納されているデータから抽出し、製品番号とシリアル番号とに応じた取説サイトＵＲＬを管理サーバ４を介
して携帯電話機２に送信する処理を実行する。つまり、ユーザ側からは、ＱＲコード情報は管理サーバ４から送信されているということになる。
【００４５】
ユーザは、管理サーバ４から送信されてきた取説サイトＵＲＬのサイト画面を携帯電話機２により閲覧する。図１に示すように、本システム１におけるサイト画面は、取説メニューの項目（例えば、１．接続と準備，２．番組表，３．録画、予約する・・・等）と、ユーザ登録の項目と、コンタクトセンターに電話という項目と、メールで質問という項目とが表示される。ユーザは、これらの項目から必要な情報を得るための項目を選択する。
【００４６】
取説メニューの項目の情報の提供については、取扱説明書を文字により提供してもよいし、ストリーミングコンテンツ配信等による動画による提供とすることもできる。
【００４７】
また、製品番号，シリアル番号等（ＱＲコードに製造工場、出荷年月日の情報が含まれている場合はこれらの情報からも）による製品不良情報があれば、不良情報を報告する画面を優先的に携帯電話機２に表示させる。
【００４８】
さらに、図１に示すように、ユーザが携帯電話機２により「コンタクトセンターに電話」という項目を選択すると、その項目に対応づけてあるコンタクトセンターの電話番号が自動的にダイヤルされ、コンタクトセンターのオペレータに繋がる。これにより、ユーザがコンタクトセンターの電話番号を調べ、ダイヤルする操作を省略することができると共に電話番号の入力間違いを未然に防ぐことができる。
【００４９】
また、「コンタクトセンターに電話」という項目をユーザが選択すると、管理サーバ４は、携帯電話機２から送信されてきたＱＲコードに含まれている製品番号をＩＶＲ（Interactive  Voice  Response）を介してコンタクトセンター側の端末１３に送信する処理を行う。すると、コンタクトセンター側の端末１３では製品番号から、ユーザが所有している機器の種類や型番等を特定することができる。
【００５０】
これにより、コンタクトセンター（オペレータ）では、ユーザが所有している機器を迅速に且つ正確に特定することができ、コンタクトセンターにおける業務の効率を向上させることができる。
【００５１】
加えて、携帯電話機２からコンタクトセンター側の端末１３に、ユーザが携帯電話機２により直前まで閲覧していた取扱サイトのＵＲＬ情報を送信するようにしてもよい。これにより、コンタクトセンターでは、ユーザがどのような内容で問い合わせをしてきたか見当を付けることができ、ユーザからの問い合わせにスムーズに対応し易くなる。
【００５２】
以上のように、本実施形態の取扱説明書情報提供システム及び方法によれば、ユーザはＱＲコードを携帯電話機で読み取るという簡易な操作で、取扱説明書情報を取得することができる。
【００５３】
また、本実施形態のシステム及び方法によれば、ＱＲコード情報の一部をユーザ登録情に利用することができるため、ユーザのユーザ登録に要する煩雑な作業を軽減することができる。
【００５４】
さらに、電化製品の本体又は付属品に、取扱説明書情報を閲覧するための情報が記録されているＱＲコードを貼付することにより、取扱説明書を冊子で同封することを省略すること、或いは分厚い取扱説明書の冊子を不要とすることが可能となり、資源の節約にも繋がる。
【００５５】
また、本実施形態の取扱説明書情報提供システム及び方法によれば、コンタクトセンターにおける応答業務の精度を高めると共に応答業務を効率化することができる。
【図面の簡単な説明】
【００５６】
【図１】本実施形態の取扱説明書情報提供システムの概要図である。
【図２】本実施形態に係る管理サーバ及び取説サーバのハードウェア構成図である。
【図３】本実施形態に係るＱＲコード情報データベースのテーブルデータのイメージ図である。
【符号の説明】
【００５７】
１  取扱説明書情報提供システム
２  携帯電話機（読取手段）
３  インターネット（ネットワーク）
４  管理サーバ
５  取説サーバ
６  ＣＰＵ
７  ＲＡＭ
８  ＲＯＭ
９  送受信部
１０  ハードディスク（ＨＤＤ（記憶手段））
１１  ユーザ情報データベース
１２  ＦＡＱデータベース
１３  コンタクトセンター側の端末
１４  ＱＲコード情報データベース
【図１】
2008083966.tif 000003
【図２】
2008083966.tif 000004
【図３】
2008083966.tif 000005